(57)【要約】【課題】壁パネルに、加工に関する十分な加工情報を印し、加工情報が不要になった後はその加工情報を壁パネルから速やかに取り除く。【解決手段】  本発明による壁パネル１００は、壁パネルに対する加工情報、例えば、加工穴の中央位置２００、穴寸法２０２、取付部材を示す識別子２１０，２１２、取付部材を示す図柄２２０、加工穴の外形２３０、加工後の状態２３０，２３２，２３４、規格、加工位置間の寸法線等が、壁パネルに貼着されたシート材１１０上に印され、作業者は、かかる加工情報に従って壁パネルを加工し、加工終了後、シート材１１０を取り外す。【選択図】図３
2008088671.tif 000002
【特許請求の範囲】
【請求項１】
加工情報が印されたシート材が貼着されていることを特徴とする、壁パネル。
【請求項２】
前記加工情報として、加工穴の中央位置と穴寸法が印されていることを特徴とする、請求項１に記載の壁パネル。
【請求項３】
前記加工情報として、取付部材を示す識別子または図柄が、該取付部材の取付位置に印されていることを特徴とする、請求項１または２に記載の壁パネル。
【請求項４】
前記加工情報として、加工後の状態が示されることを特徴とする、請求項１〜３のいずれかに記載の壁パネル。
【請求項５】
前記シート材は、透視性を有する材質からなることを特徴とする、請求項１〜４のいずれかに記載の壁パネル。
【請求項６】
当該壁パネルは、浴室の壁を構成することを特徴とする、請求項１〜５のいずれかに記載の壁パネル。
【請求項７】
壁パネルに貼着されるシート材であって、
前記壁パネルの加工情報が予め印されていることを特徴とする、シート材。
【発明の詳細な説明】
【技術分野】
【０００１】
本発明は、壁を形成する壁パネルにかかり、特に、取付部材の取り付け等のため加工される壁パネルおよびそれに貼着されるシート材に関する。
【背景技術】
【０００２】
浴室の内装を構築する際、作業者は、まず、壁パネルを嵌設しその壁パネルに取付穴等の加工を加えて内装を装設する。内装（取付部材）としては、照明、鏡、シャワー等があり、その取付部材の装設は取付穴にボルトで固定する等によってなされている。
【０００３】
このような取付部材は、通常、浴槽や扉との関係から予めどの位置に装設するか決められており、作業者は指定された位置に取付穴を設けることとなる。このとき、作業者は、工事現場において取付部材の配置を確認し、その都度取付穴の位置や寸法を測っている。また、壁パネルは複数の部位に分離することができるため、浴室の壁に嵌設する前段階で壁パネルを加工し、その後壁パネルを壁に嵌設することもできる。かかる加工は、通常、壁パネル上に作業者が印した罫書きの案内によって実施される。
【０００４】
また、浴室を構成する壁載せ部にマーキングを施し、浴室の平面サイズに合わせて切り落とす技術が知られている（例えば、特許文献１）。このようなマーキングに沿って防水床パンを切り落とす構成により、所定サイズの防水床パンを容易に形成することができる。
【特許文献１】特開平１１−２９９６７号公報
【発明の開示】
【発明が解決しようとする課題】
【０００５】
しかし、上述した技術では、対象とする取付部材（壁載せ部）に直接マークが描かれるため、取付部材にはマーキングした跡が残されていた。このようなマーキング跡を残さないようにするには、マークを極力小さくして目立たないようにするといった対応をとるしかなかった。
【０００６】
従って、取付部材には、必要最低限の単調な点や線しか付すことができず、文字や図形を付してマーク自体に意味を持たせることができなかった。また、作業者は、そのような点や線のみの情報に基づいて加工を実施することはできず、別途の仕様書等を参照して加工が遂行されていた。
【０００７】
本発明は、従来の壁パネルの加工における上記問題点に鑑みてなされたものであり、本発明の目的は、加工に関する十分な加工情報を印すことができ、加工情報が不要になった後はその加工情報を速やかに取り除くことが可能な新規かつ改良された壁パネルおよびシート材を提供することである。
【課題を解決するための手段】
【０００８】
上記課題を解決するために、本発明のある観点によれば、加工情報が印されたシート材が貼着されていることを特徴とする、壁パネルが提供される。
【０００９】
ここでは、壁パネルを包装または養生するシート材の表面にその壁パネルに対する加工情報が印される。従って、加工情報は、壁パネルに直接ではなく、シート材を介して印されることとなる。かかる構成により、壁パネル全面分のスペースを利用して加工情報を印すことができ、その加工情報を基に作業者による加工効率を向上させることができる。また、加工完了後に加工情報が不要になれば、貼着されているシート材を剥がすだけで加工情報を速やかに取り除くことが可能となる。
【００１０】
従って、作業者は、仕様書等を参照する手間や、その場で加工位置を測る手間を省略でき、短時間で容易に壁パネルを加工することが可能となる。また、加工に関する作業者の測定を伴わないので、誤測定等の人為的な加工ミスを回避することができ、加工ミスのための予備壁パネルも少なくすることができる。
【００１１】
さらに、シート材を壁パネル全面に貼着する構成により、搬送時や加工工事における粉塵その他の汚れや損傷から壁パネルを保護することができる。
【００１２】
加工情報として、加工穴の中央位置と穴寸法が印されているとしてもよい。
【００１３】
かかる構成により、作業者は、仕様書等の参照や寸法の実測を実施しなくとも容易に穴位置を特定でき、また、加工手段、例えばドリルのドリル直径を容易に設定することが可能となる。
【００１４】
加工情報として、取付部材を示す識別子または図柄が、該取付部材の取付位置に印されているとしてもよい。
【００１５】
取付部材を示す識別子や図柄が印されることで、作業者は壁パネルにどの取付部材を取り付けるか容易に判断でき、また、その識別子または図柄が取付位置に印されることで、取付部材を取り付けるべき取付位置に確実に装設することができる。
【００１６】
加工情報として、加工後の状態が示されるとしてもよい。ここで、加工後の状態は、切断、穴、溝等の加工を実行した場合における加工後の形状をいう。さらに、加工した箇所に取付部材を取り付けた場合の取付イメージを示すとしてもよい。
【００１７】
かかる構成により加工または取付部材の取り付けに先駆けて最終的な加工イメージや取付イメージを確認することが可能となる。
【００１８】
シート材は、透視性を有する材質からなるとしてもよい。
【００１９】
このような透視性を有するシート材は、壁パネルを保護しつつ、壁パネルの表面外装を作業者に把握させることができる。従って、作業者による壁パネルの取付誤りを防止でき、また、上述した加工後の状態をより一層現実的な外観としてイメージし易くなる。
【００２０】
当該壁パネルは、浴室の壁を構成するとしてもよい。
【００２１】
本発明の壁パネルでは、壁パネル全面分のスペースを利用して加工情報を印すことができるので、浴室に利用される壁パネルのような複数の取付部材を装設する場合においても、十分な加工情報を印すことができる。また、本発明の壁パネルには、加工位置が正確に印されているので、防水性や耐水性といった高い精度による加工が要求される浴室の壁パネルにも適用することが可能である。
【００２２】
上記課題を解決するために、本発明の他の観点によれば、壁パネルに貼着されるシート材であって、壁パネルの加工情報が予め印されていることを特徴とする、シート材が提供される。
【００２３】
上述した、壁パネルの技術的思想に基づく構成要素やその説明は、当該シート材にも適用可能である。
【発明の効果】
【００２４】
本発明によれば、加工に関する十分な加工情報をシート材上に印すことができ、加工情報が不要になった後はその加工情報を速やかに取り除くことが可能となる。従って、作業者の加工効率を向上させると共に人為的加工ミスも低減することができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
本発明の実施形態にかかるシート材は、搬送時や加工工事における粉塵その他の汚れや損傷から壁パネルを保護すると共に、壁パネルへの加工を案内する加工情報が印される。このようなシート材やそのシート材が貼着される壁パネルの利用形態の理解を容易にするため、まず、浴室内の構造を説明する。
【００２７】
（浴室１０）
図１は、本実施形態の壁パネルの利用形態を説明するための浴室１０の外観図である。かかる外観図も含め以下の実施形態に示す寸法、材料、その他具体的な数値などは、発明の理解を容易とするための例示に過ぎず、特に断る場合を除き、本発明を限定するものではない。
【００２８】
図１に示すように、浴室１０には、浴槽１２、洗い場となる床面１４、排水溝１６、水栓であるカラン１８およびシャワー２０、カラン１８の下方に設置されたカウンター２２、手摺りの例としてのサポートバー２４、鏡２６、収納棚２８、照明３０、それらが装設される壁３２、および扉３４が備えられている。カウンター２２は、洗面器などを載置するための台であって、その上面は膝下程度の高さになっている。カウンター２２の前面は、壁面よりも浴室中央部に向かって突出した位置に配置され、カウンター２２の下部は、壁面に向かって後退している。壁３２は複数の壁パネル１００（１００ａ，１００ｂ，１００ｃ）を嵌設して形成される。扉３４は浴室１０において浴槽１２の反対側に設けられている。
【００２９】
このような浴室１０の内装を構築する際、作業者は、まず、壁パネル１００を壁３２に嵌設し、その壁パネル１００に取付穴等の加工を加え、内装としてのカラン１８、シャワー２０、カウンター２２、サポートバー２４、鏡２６、収納棚２８、照明３０等の取付部材を装設する。その取付部材の装設は取付穴にボルトで固定する等によってなされる。以下、壁パネル１００およびそれに貼着されるシート材に関して詳細に説明する。
【００３０】
（壁パネル１００）
図２は、壁パネル１００の包装例および加工例を示す斜視図である。図２（ａ）に示されるように、壁パネル１００の製造工程（出荷前）において、当該壁パネル１００にシート材１１０が貼着される。このシート材１１０の貼着は、粘着跡が残らない程度、かつ、シート材１１０がずれない程度の粘着力でなされる。このシート材１１０は浴室の工事が完了すると取り外されるので、粘着力が強すぎて粘着跡が残ると外観上好ましくない。かといって粘着力が弱すぎると搬送時や加工時に壁パネル１００との位置関係がずれてしまい、シート材１１０上に印された加工情報、特に加工位置に関する情報が意味をなさなくなる。
【００３１】
図２（ｂ）は、このようにシート材１１０が貼着された壁パネル１００を示している。シート材１１０は、壁パネル１００に貼着することで壁パネル１００の搬送時や加工工事における粉塵その他の汚れや損傷から壁パネル１００を保護する。このようなシート材１１０は、壁パネル１００の一面にのみ貼着されるとしてもよいし、全面において貼着されるとしてもよい。また、加工情報が必要なところに部分的にシート材１１０を貼着しても良いし、一旦シート材１１０を貼着した後でさらに部分的にシート材１１０を重畳して貼ることもできる。
【００３２】
このように壁パネル１００表面に貼着されたシート材１１０の表裏いずれかの面には、図２（ｃ）に示すような加工情報としてのマーク１１２が印される。ここでは、加工情報として加工穴の中央位置が印されている。かかる加工情報は、壁パネル１００に直接ではなく、シート材１１０を介して印されるので、壁パネル１００全面分のスペースを利用して、上述した加工穴の中央位置以外にも様々な加工情報を付加することが可能である。このような加工情報（マーク１１２）は、浴室１０の施工現場において加工箇所を案内する。
【００３３】
上述した実施形態では、図２の（ａ）および（ｃ）に示したように、壁パネル１００にシート材１１０を貼着した後に加工情報を印刷しているが、本実施形態はかかる場合に限られず、予め加工情報が印刷されたシート材１１０を壁パネル１００に位置合わせして貼着する等の他の貼着方法をとることもできる。
【００３４】
このような貼着およびマーキング工程を経て製品としての壁パネル１００が生成される。当該壁パネル１００は、上述したように浴室１０の壁３２を構成することができる。本実施形態の壁パネル１００では、壁パネル１００全面分のスペースを利用して加工情報を印すことができるので、浴室に利用される壁パネル１００のような複数の取付部材を装設する場合においても、十分な加工情報を印すことができる。また、本実施形態の壁パネル１００には、加工位置が正確に印されているので、防水性や耐水性といった高い精度による加工が要求される浴室１０の壁パネル１００にも適用することが可能である。
【００３５】
生成された壁パネル１００は、浴室１０の施工時に作業者によって加工される。作業者は、壁パネル１００上に既にマーク１１２が表示されているので、その加工位置を別途の手段を用いて特定する必要がない。従って、作業者は、仕様書等を参照する手間や、その場で加工位置を測る手間を省くことができ、短時間で容易に壁パネル１００を加工することが可能となる。図２（ｄ）は、図２（ｃ）に示すマーク１１２に従い、ドリル１２０を用いて、取付部材の取付穴を貫通させる工程を示している。作業者はマーク１１２に従って加工すればよいので、全体的な加工効率が向上する。
【００３６】
そして、作業者による壁パネル１００の加工が完了すると、シート材１１０は必要なくなり、図２（ｅ）のように取り外される。このように、貼着されているシート材１１０を剥がすだけで、加工時に参照した加工情報を速やかに取り除くことができる。
【００３７】
図２に基づく実施形態では、図２の（ｄ）に示したように、壁パネル１００を加工した後、壁３２に嵌設することを想定しているが、本実施形態はかかる場合に限られず、先に壁３２に嵌設した後、嵌設された壁パネル１００に対して加工を施す等、その時の状況に応じて様々な加工順をとることができる。
【００３８】
図３は、加工情報、特に取付穴の中心位置が印された壁パネル１００の例を示す平面図である。例えば、図３（ａ）には、壁３２の上部を形成し（図１参照）、主にシャワー２０の上保持部と照明３０とを装設する壁パネル１００ａの平面図が示されている。同様に、図３（ｂ）には、壁３２の中央部を形成し、主に収納棚２８とシャワー２０の下保持部と鏡２６とを装設する壁パネル１００ｂの平面図が、図３（ｃ）には、壁３２の下部を形成し、主にサポートバー２４とカウンター２２とを装設する壁パネル１００ｃの平面図が示されている。作業者は、このような各壁パネル１００ａ，１００ｂ，１００ｃに印されたマーク１１２に従って加工穴を施し、浴室１０の壁３２に嵌設する。
【００３９】
図４は、上述した壁パネル１００ａ，１００ｂ，１００ｃを浴室１０に嵌設した状態を示す外観図である。作業者は、各壁パネル１００ａ，１００ｂ，１００ｃを嵌設した後、その壁パネル１００ａ，１００ｂ，１００ｃの取付穴に上述した各取付部材を取り付ける。このようにして図１に示したような浴室１０が完成する。
【００４０】
（マーク１１２）
本実施形態においては、壁パネル１００の全面分のスペースを利用して加工情報を表すことができるので、上述した取付穴の中心位置以外にも様々な加工情報を追加することができる。以下、このような加工情報の他の例を示す。
【００４１】
図５は、壁パネルの他のマーク表示例を示す外観図である。ここでは、上述した壁パネル１００ａにさらに加工情報を追加した壁パネル３００ａを示している。壁パネル３００ａでは、例えば、加工情報として、加工穴の中央位置２００と穴寸法２０２とを印すことができる。かかる構成により、作業者は、仕様書等の参照や寸法の実測を実施しなくとも容易に穴位置を特定でき、また、加工手段、例えばドリル１２０のドリル直径を容易に設定することが可能となる。
【００４２】
また、加工情報として、取付部材を示す識別子を印すこともできる。図５においては、識別子としての取付部材の品名２１０と製品番号２１２とが印されている。このように取付部材を示す識別子を付すことにより、作業者は壁パネル１００にどの取付部材を取り付けるか容易に判断できる。
【００４３】
また、加工情報として、取付部材を示す図柄２２０を、取付部材の取付位置の近辺もしくは中央に印してもよい。このような図柄２２０により、作業者は、壁パネル１００にどの取付部材を取り付けるか容易に判断でき、さらに、その図柄２２０の位置を参照することで、取付部材を取り付けるべき取付位置に確実に装設することができる。また、取付部材が図柄２２０で表されているので作業者は感覚的に取付部材をイメージすることができる。
【００４４】
また、加工情報として、加工後の状態が示されるとしてもよい。ここで、加工後の状態は、切断、穴、溝等の加工を実行した場合における加工後の形状をいう。例えば、図５の場合では、加工穴の外形２３０を示す。また、同様に、加工後の状態として、取付部材を装設した場合の取付イメージを示すこともできる。例えば、図５の場合では、シャワー上保持部取付後の取付イメージ２３２や照明取付後の取付イメージ２３４である。かかる構成により、加工または取付部材の取り付けに先駆けて最終的な加工イメージや取付イメージを確認することが可能となる。
【００４５】
また、加工情報として、装設する取付部材の規格、取り扱い方法、説明文を示すとしてもよい。例えば、図５では、照明の消費電力２４０が記載されている。かかる構成により取付部材の規格や説明を容易に把握することができ、取付時において、取付部材の誤発注等を判断することができる。従って、工事が完成した後に取付部材が誤っていたことが判明するなどの問題を未然に防ぐことも可能となる。
【００４６】
さらに、加工情報として、加工位置間の寸法線２５０が示されるとしてもよい。本実施形態においては加工位置そのものが印されているため、基本的に寸法線２５０は必要ない。しかし、補足的に寸法線２５０を入れることで、例えば、取付部材と所定穴との結合位置が違っている場合に、出荷時のマーク１１２の印刷が間違っているのか、作業者の加工ミスか、それとも取付部材が間違っているのかを早期に特定することが可能となる。
【００４７】
以上、説明したように、壁パネル１００を包装または養生するシート材１１０の表面にその壁パネル１００に対する加工情報を印すことで、壁パネル１００全面分のスペースを利用して加工情報を表すことができ、その加工情報を基に作業者による加工効率を向上させることが可能となる。また、加工完了後に加工情報が不要になれば、貼着されているシート材１１０を剥がすだけで速やかに取り除くことができる。
【００４８】
従って、作業者は、仕様書等を参照する手間や、その場で加工位置を測る手間を省略でき、短時間で容易に壁パネルを加工することが可能となる。また、加工に関する作業者の測定を伴わないので、誤測定等の人為的な加工ミスを回避することができ、加工ミスのための予備壁パネルも少なくすることができる。
【００４９】
（シート材１１０）
また、本実施形態では、上述した壁パネル１００に貼着されるシート材１１０自体も提供される。かかるシート材１１０には、壁パネル１００の加工情報が予め印されている。このようなシート材１１０は、上述したように壁パネル１００の加工を案内および支援する。また、その他にも、壁パネルの搬送時や加工工事における粉塵その他の汚れや損傷から壁パネルを保護する役目も担っている。
【００５０】
また、シート材１１０は、透視性を有する材質で形成されてもよい。このような透視性を有するシート材１１０は、壁パネルを保護しつつ、壁パネル１００の表面外装の色、模様や形状を作業者に把握させることができる。従って、作業者による壁パネル１００の取付誤りを防止でき、また、上述した加工後の状態をより一層現実的な外観としてイメージし易くなる。
【００５１】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５２】
なお、図２を用いて説明した包装や加工の流れは、必ずしも図２に記載された順序に沿って時系列に処理する必要はなく、並列的あるいは個別に実行される処理も含むとしても良い。
【産業上の利用可能性】
【００５３】
本発明は、壁を形成する壁パネルにかかり、特に、取付部材の取り付け等のため加工される壁パネルおよびそれに貼着されるシート材に適用可能である。
【図面の簡単な説明】
【００５４】
【図１】本実施形態の壁パネルの利用形態を説明するための浴室の外観図である。
【図２】壁パネルの包装例および加工例を示す斜視図である。
【図３】加工情報、特に取付穴の中心位置が印された壁パネルの例を示す平面図である。
【図４】壁パネルを浴室に嵌設した状態を示す外観図である。
【図５】壁パネルの他のマーク表示例を示す外観図である。
【符号の説明】
【００５５】
３２    壁
１００  壁パネル
１１０  シート材
１１２  マーク
２００  中央位置
２０２  穴寸法
２１０  品名
２１２  製品番号
２２０  図柄
２３０  加工穴の外形
２３２、２３４  取付イメージ
【図１】
2008088671.tif 000003
【図２】
2008088671.tif 000004
【図３】
2008088671.tif 000005
【図４】
2008088671.tif 000006
【図５】
2008088671.tif 000007